(57)【要約】【課題】  キッチンカウンターの下方に引出し可能な水切りカゴを配置した場合でも、水切りカゴから滴り落ちる水分を簡単に集水して排水することができるキッチン用キャビネットを提供する。【解決手段】  キッチン用キャビネット１は、キッチンカウンター１１の下方に収納される収納位置と、この収納位置から前方に引出される引出し位置との間で移動可能な収納部２Ａ，２Ｂを備えている。前記収納部２Ａ，２Ｂは、トレイ２１と、このトレイ２１の上に載置される水切りカゴ２２とを有し、前記トレイ２１には、収納部２Ａ，２Ｂが収納位置に移動したときに収納部２Ａ，２Ｂの後方に設けられた配水管４３に接続される排水口２３が設けられている。【選択図】      図２
2007037752.tif 000002
【特許請求の範囲】
【請求項１】
キッチンカウンターの下方に収納される収納位置と、この収納位置から前方に引出される引出し位置との間で移動可能な収納部を備え、
前記収納部は、トレイと、このトレイの上に載置される水切りカゴとを有し、前記トレイには、収納部が収納位置に移動したときに収納部の後方に設けられた配水管に接続される排水口が設けられていることを特徴とするキッチン用キャビネット。
【請求項２】
前記排水口には、排水口が前記配水管に接続されていないときには排水口内の流路を閉じ、排水口が配水管に接続されることにより前記流路を開く開閉弁が設けられていることを特徴とする請求項１に記載のキッチン用キャビネット。
【発明の詳細な説明】
【技術分野】
【０００１】
本発明は、水切りカゴを備えたキッチン用キャビネットに関するものである。
【背景技術】
【０００２】
従来、水切りカゴを備えたキッチン用キャビネットとしては、シンクの側方のキッチンカウンターの上に箱体を設け、この箱体に水切りカゴを引出し自在に支持させたものが知られている（例えば、特許文献１参照）。このキッチン用キャビネットでは、水切りカゴは、箱体内に収容される収納位置と、この収納位置から引出されてシンクの上方に位置する引出し位置との間で移動可能になっており、引出し位置では水切りカゴから滴り落ちる水分がそのままシンク内に落下するようになっている。
【特許文献１】特開平８−３８４１３号公報
【発明の開示】
【発明が解決しようとする課題】
【０００３】
しかしながら、キッチン用キャビネットがキッチンエリアとダイニングエリアとの間にこれらのエリアを仕切るように配設されるいわゆる対面式のものにおいては、前記のように水切りカゴがシンクの上方に位置していたのでは見栄えが悪いという問題があった。
【０００４】
そこで、対面式のキッチン用キャビネットでは、引出し可能な水切りカゴをキッチンカウンターの下方に配置することが望まれるが、このようにした場合には水切りカゴから滴り落ちる水分をどのように集水して排水するかが問題となる。
【０００５】
本発明は、このような事情に鑑み、キッチンカウンターの下方に引出し可能な水切りカゴを配置した場合でも、水切りカゴから滴り落ちる水分を簡単に集水して排水することができるキッチン用キャビネットを提供することを目的とする。
【課題を解決するための手段】
【０００６】
前記課題を解決するために、本発明に係るキッチン用キャビネットは、キッチンカウンターの下方に収納される収納位置と、この収納位置から前方に引出される引出し位置との間で移動可能な収納部を備え、前記収納部は、トレイと、このトレイの上に載置される水切りカゴとを有し、前記トレイには、収納部が収納位置に移動したときに収納部の後方に設けられた配水管に接続される排水口が設けられていることを特徴とするものである。
【０００７】
前記排水口内の流路を自動的に開閉するために、前記排水口には、排水口が前記配水管に接続されていないときには排水口内の流路を閉じ、排水口が配水管に接続されることにより前記流路を開く開閉弁が設けられていることが好ましい。
【発明の効果】
【０００８】
本発明によれば、水切りカゴをトレイの上に載置したから、収納部を引出し位置に移動した状態で、濡れたままの食器などを水切りカゴに収納すると、食器などに付着していた水分はトレイ上に溜まるようになる。そして、収納部を収納位置に移動すれば、トレイの排水口が配水管に接続されるため、トレイ上に溜まった水分を簡単に配水管に流すことができる。
【発明を実施するための最良の形態】
【０００９】
以下、本発明を実施するための最良の形態について、図面を参照しながら詳細に説明する。
【００１０】
図１および図２に示すように、本発明の一実施形態に係るキッチン用キャビネット１は、シンクユニット４や引出しユニット３などの左右方向に並ぶ複数のユニットと、これらのユニット上に載置されて固定されるキッチンカウンター１１とを備えている。
【００１１】
前記キッチンカウンター１１は、平面視で略長方形状の形状をなしており、このキッチンカウンター１１には、右側位置にシンク１１ａやカラン１１ｂが設けられているとともに、左側位置に調理器（図示せず）が設けられている。なお、シンク１１ａは前記シンクユニット４と引出しユニット３とに跨る領域に設けられている。
【００１２】
前記引出しユニット３は、上下に並ぶ３つの引出し３１を有しており、各引出し３１が前後方向に移動可能になっている。
【００１３】
前記シンクユニット４は、２枚の側板４２ａ，４２ｃと、背板４２ｄとを有しているとともに、前側上部には固定板４２ｅが設けられており、前方および上方に開口する箱状をなしている。そして、上方の開口はキッチンカウンター１１で塞がれている。
【００１４】
また、シンクユニット４の内部には、左右方向の中央から左寄りの位置に、両側板４２ａ，４２ｃと略同形状の仕切り板４２ｂが設けられており、この仕切り板４２ｂと右側の側板４２ａとが上下に並ぶ２枚の水平板４２ｆ、４２ｇで連結されている。
【００１５】
前記固定板４２ｅの前面には、平面視で略コ字状のタオル掛け４５が設けられていて、タオルが掛けられるようになっており、前記左側の側板４２ｃと仕切り板４２ｂとの間には、上下一対の布巾・台拭き掛け４６が設けられていて、布巾５Ａや台拭き５Ｂが掛けられるようになっている。
【００１６】
また、正面視で右側の側板４２ａ、仕切り板４２ｂ、固定板４２ｅ、上側の水平板４２ｆで囲まれる領域に、収納部２Ａが設けられているとともに、右側の側板４２ａ、仕切り板４２ｂ、上側および下側の水平板４２ｆ，４２ｇで囲まれる領域に、収納部２Ｂが設けられている。
【００１７】
前記収納部２Ａと収納部２Ｂとは、高さ寸法が異なるだけであり、それ以外の点では同様の構造となっている。これらの収納部２Ａ，２Ｂは、トレイ２１と、このトレイ２１に載置される水切りカゴ２２とを有している。
【００１８】
前記トレイ２１は、平面視で略矩形の有底容器状をなしているとともに、その上端部には略矩形枠状の鍔部２１ａを有している。そして、この鍔部２１ａの左右両端部は、右側の側板４２ａの左側面と仕切り板４２ｂの右側面のそれぞれに設けられた左右一対のガイド部材４４に支持されている。
【００１９】
具体的には、前記左右一対のガイド部材４４は、互いに対向する方向に開口する溝部を有していて、断面略コ字状で前後方向に延在しており、この溝部に前記鍔部２１ａの左右両端部が嵌り込むことによってトレイ２１がガイド部材４４に前後方向に移動可能に支持されている。そして、これにより収納部２Ａ，２Ｂは、キッチンカウンター１１の下方に収納される収納位置と、この収納位置から前方に引出される引出し位置との間で移動可能となっている。
【００２０】
なお、図示は省略するが、鍔部２１ａの左右両端部の前側下面には、下方に突出する突起が設けられており、収納部２Ａ，２Ｂが収納位置に移動したときには、前記突起がガイド部材４４の溝部に乗り上げて、トレイ２１の底面２１ｂが後方に向かって下り傾斜になるようになっており、後述する排水口２３内の流路２３ｃに水が流入し易くなっている。
【００２１】
前記水切りカゴ２２は、網目構造によって平面視で略矩形のカゴ状となっていて、その大きさは前記トレイ２１内に嵌り込み可能な程度になっている。そして、底部２２ｂの４角には、それぞれ脚部２２ａが設けられていて、脚部２２ａがトレイ２１の底面２１ｂに載置されるようになっている。これにより、水切りカゴ２２の底部２２ｂとトレイ２１の底面２１ｂとの間には所定のクリアランスが確保され、水切りカゴ２２から滴り落ちた水分がトレイ２１の底面２１ｂ上をスムーズに流れることができるようになっている。
【００２２】
また、前記トレイ２１の後端部には、排水口２３が設けられている。この排水口２３は、収納部２Ａ，２Ｂが収納位置に移動したときに、収納部２Ａ，２Ｂの後方に設けられた配水管４３に接続されるようになっている。
【００２３】
前記配水管４３は、前記水平板４２ｆ，４２ｇを貫通して上下方向に延びており、トレイ２１の排水口２３と前後方向で対応する位置にそれぞれ接続口４３ａを有している。そして、この接続口４３ａ内に排水口２３が差し込まれることにより、排水口２３と接続管４３とが接続されるようになっている。
【００２４】
具体的には、図３（ａ）に示すように、排水口２３は、前後方向に延在する矩形筒状の形状をなし、内部に流路２３ｃを有している。そして、排水口２３は、トレイ２１の下面よりも下方に張り出すように設けられていて、流路２３ｃの下面がトレイ２１の底面２１ｂよりも下方に位置しているとともに、流路２３ｃは、トレイ２１の底面２１ｂと内周面のコーナー部に設けられた連通口２１ｃによってトレイ２１の内部空間と連通している。
【００２５】
また、排水口２３の内部には、流路２３ｃを開閉する開閉弁２３ａが設けられている。この開閉弁２３ａは、ゴムなどの弾力性のある材料で構成された正面視で略矩形の板状体であり、上端部が流路２３ｃの上面に連結されていて、図中に矢印ａで示すように前後方向に弾性変形可能となっている。そして、流路２３ｃの下面には、流路２３ｃの両側面を連結するように延びる堰部２３ｂが設けられていて、開閉弁２３ａが外力を受けていないときには、開閉弁２３ａの下端部が前方から堰部２３ｂに当接することにより流路２３ｃが閉じられ、開閉弁２３ａが前方に弾性変形したときには、開閉弁２３ａの下端部が堰部２３ｂから離間することにより流路２３ｃが開かれるようになっている。
【００２６】
前記接続口４３ａは、排水口２３の断面形状よりも僅かに大きな断面形状の矩形筒状の形状をなしており、排水口２３が内嵌可能となっている。また、接続口４３ａの内面上部には、排水口２３の開閉弁２３ａを押すための押し部材４３ｂが設けられている。この押し部材４３ｂは、当該内面上部から中心方向に延びるとともにそこから前方に屈曲した略Ｌ字状の形状をなしており、接続口４３ａに排水口２３が嵌り込んだときには、図３（ｂ）に示すように、開閉弁２３ａを押して開かせるようになっている。すなわち、排水口２３が接続口４３ａに接続されていないときには開閉弁２３ａによって流路２３ｃは閉じられているが、排水口２３が接続口４３ａに接続されると、開閉弁２３ａが押し部材４３ｂに押されて前方に弾性変形し、流路２３ｃが自動的に開かれる。そして、収納部２Ａ，２Ｂを引き出して、排水口２３を接続口４３ａから抜き出せば、開閉弁２３ａが復元力によって元の位置に復帰して、再び流路２３ｃが自動的に閉じられる。
【００２７】
本実施形態のキッチン用キャビネット１では、水切りカゴ２２をトレイ２１の上に載置したから、収納部２Ａ，２Ｂを引出し位置に移動した状態で、濡れたままの食器などを水切りカゴ２２に収納すると、食器などに付着していた水分はトレイ２１上に溜まるようになる。そして、収納部２Ａ，２Ｂを収納位置に移動すれば、トレイ２１の排水口２３が配水管４３に接続されるため、トレイ２１上に溜まった水分を簡単に配水管４３に流すことができる。
【００２８】
また、排水口２３には、排水口２３が配水管４３に接続されていないときには排水口２３内の流路２３ｃを閉じ、排水口２３が配水管４３に接続されることにより流路２３ｃを開く開閉弁２３ａが設けられているので、排水口２３が配水管４３に接続されていないとき、すなわち収納部２Ａ，２Ｂが収納位置にないときには、開閉弁２３ａによって流路２３ｃが閉じられるため、トレイ２１上に溜まった水分が排水口２３から流出するのを防ぐことができる。さらに、開閉弁２３ａは、収納部２Ａ，２Ｂの移動により自動的に流路２３ｃを開閉するように構成されているので、開閉弁２３ａの開閉操作が不要である。
【００２９】
なお、前記実施形態では、収納部２Ａ，２Ｂがシンクユニット４内に設けられた形態を示したが、例えば複数の引出しユニット３がある場合に、それらの引出しユニット３を所定の間隔を隔てて配設し、それらの引出しユニット３の対向する外側面同士にガイド部材４４を設けることにより、引出しユニット３同士の間に収納部２Ａ，２Ｂを設けることも可能である。
【００３０】
また、前記実施形態では、キッチンカウンター１１が複数のユニット上に載置される形態を示したが、キッチンカウンター１１が床面から立ち上がる複数の脚で支持されるフレーム型のキッチンに対しても本発明は適用可能である。
【００３１】
さらには、前記実施形態ではトレイ２１がガイド部材４４に移動可能に支持されているが、水切りカゴ２２に鍔部２１ａを設けることにより、水切りカゴ２２をガイド部材４４に移動可能に支持させることも可能である。この場合には、水切りカゴ２２がトレイ２１に載置された状態でそれらが連結されるように、トレイ２１または水切りカゴ２２に連結機構を設けることが好ましい。
【００３２】
また、配水管４３側に開閉弁を設けてもよく、このようにすることにより配水管４３からの臭気を防ぐことができる。
【図面の簡単な説明】
【００３３】
【図１】本発明の一実施形態に係るキッチン用キャビネットの正面図である。
【図２】図１のＩＩ−ＩＩ線断面図である。
【図３】トレイの排水口と配水管の接続口との取り合いを示す図であり、（ａ）は収納部を収納位置に移動する前の状態を示す、（ｂ）は収納部を収納位置に移動した後の状態を示す。
【符号の説明】
【００３４】
１    キッチン用キャビネット
１１  キッチンカウンター
２Ａ，２Ｂ  収納部
２１  トレイ
２１ａ  鍔部
２２  水切りカゴ
２３  排水口
２３ａ  開閉弁
４    シンクユニット
４３  配水管
４３ａ  接続口
４４  ガイド部材
【図１】
2007037752.tif 000003
【図２】
2007037752.tif 000004
【図３】
2007037752.tif 000005